(57)【要約】【課題】土の地面のような不陸の状況が不規則な地面に塀を設置する場合であっても、塀パネルと地面との間に隙間が生じにくい塀を提供する。【解決手段】地表に間隔をおいて立設された支柱１の間に塀パネル２が架設され、前記塀パネル２の下端部と地表との間に、弾性を有するスペーサー３が設けられているので、コンクリート基礎面のような凹凸が不規則な地面に対してもその不陸による凹凸に沿ってスペーサーが弾性的に変形して、塀パネル２の下端部と地表との間を塞ぐことができる。【選択図】  図１
2010189861.tif 000002
【特許請求の範囲】
【請求項１】
地表に間隔をおいて立設された支柱の間に塀パネルが架設され、前記塀パネルの下端部と地表との間に、弾性を有するスペーサーが設けられていることを特徴とする塀。
【請求項２】
前記塀パネルの下端部に脚パネルが該塀パネルの長手方向に沿って取付けられ、該脚パネルと地表との間にスペーサーが設けられていることを特徴とする請求項１に記載の塀。
【請求項３】
前記スペーサーの前後面のうちの少なくとも一方の面側に相対向して、前記脚パネルの長手方向に沿ってカバー部が垂下されていることを特徴とする請求項１又は２に記載の塀。
【発明の詳細な説明】
【技術分野】
【０００１】
本発明は、住宅、工場、公園等の敷地境界部や隣地境界部に沿って取付けられる塀に関し、特に塀パネルと地表との間に下部材が取付けられた塀に関するものである。
【背景技術】
【０００２】
住宅、工場、公園等の敷地境界部や隣地境界部に沿って取付けられる塀は、一般に、設置される境界部に沿って立設させた複数本の支柱の間に塀パネルが架設されている。そして、塀の遮音性を重視する場合は、塀パネルとして、金属板、樹脂板、グラスウール等或いはこれらを組み合わせたものが用いられている。これらの塀パネルは正面視矩形状であるため、設置場所の地面の接地面に不陸が生じていると、塀パネルと地面との間に隙間が生じ、この隙間から騒音が伝わって遮音性能が十分に発現されない場合がある。
【０００３】
フェンス配置面の不陸に対応した形態として、特許文献１には、下縁部にステーが枢軸の周りに回動自在に枢着された複数の枠体の側辺部同士をヒンジ機構による折畳式移動フェンスであって、各枠体が隣りの枠体に対し上下移動してフェンス配置面の不陸に追従して安定配置可能にした不陸対応型移動フェンスが提案されている。
【０００４】
又、本出願人においても、特許文献３に示すように、目隠し材の上下端部に枠材を取付け、更に最下部の枠材の下部に枠材を取付けた緑化目隠し塀を提案している。
【先行技術文献】
【特許文献】
【０００５】
【特許文献１】特開２００１−１６４７９９号公報
【特許文献２】特開２００７−１１３２６３号公報
【発明の概要】
【発明が解決しようとする課題】
【０００６】
しかしながら、前記の不陸対応型移動フェンスは、フェンス接地面の不陸に合わせてフェンス本体を上下に配置可能とされたものであり、フェンスと地面との隙間を塞ぐものではなかった。
【０００７】
本発明は、前記の如き問題点を解消し、コンクリート基礎面等のような表面の不陸が不規則に生じている地面に塀を設置する場合であっても、塀パネルと地面との間に隙間が生じにくい塀を提供せんとするものである。
【課題を解決するための手段】
【０００８】
上記目的を達成するために、本発明は次のような構成としている。
【０００９】
すなわちこの発明に係る塀は、地表に間隔をおいて立設された支柱の間に塀パネルが架設され、前記塀パネルの下端部と地表との間に、弾性を有するスペーサーが設けられていることを特徴とするものである。
【００１０】
又、本発明に係る塀において、前記塀パネルの下端部に脚パネルを該塀パネルの長手方向に沿って取付け、該脚パネルと地表との間にスペーサーを設けた構成としてもよい。
【００１１】
更に、本発明に係る塀において、前記スペーサーの前後面のうちの少なくとも一方の面側に相対向して、前記脚パネルの長手方向に沿ってカバー部を垂下させた構成としてもよい。
【発明の効果】
【００１２】
本発明によれば、地表に間隔をおいて立設された支柱の間に塀パネルが架設され、前記塀パネルの下端部と地表との間に、弾性を有するスペーサーが設けられているので、コンクリート基礎面のような表面の不陸が不規則に生じている地面に対してもその不陸による凹凸に沿ってスペーサーが弾性的に変形して、塀パネルの下端部と地表との間を塞ぎ、めかくし機能を高めることができる。
【００１３】
又、本発明に係る塀において、前記塀パネルの下端部に脚パネルを該塀パネルの長手方向に沿って取付け、該脚パネルと地表との間にスペーサーを設けた構成としていもよい。
【００１４】
更に、本発明に係る塀において、前記スペーサーの前後面のうちの少なくとも一方の面側に相対向して、前記脚パネルの長手方向に沿ってカバー部を垂下させた構成とすれば、スペーサーの上下方向の寸法を長くしても、カバー部側からは見えにくくなるので、スペーサーの上下方向の変形しろをより確保できると共に、外観上スペーサーは目立ちにくくなり好ましい。
【図面の簡単な説明】
【００１５】
【図１】本発明に係る塀の実施の一形態を示す説明図である。
【図２】図１のＡ−Ａ断面における拡大断面図である。
【図３】図２のＢ−Ｂ断面における拡大断面図である。
【図４】図１の塀Ｐの地表部付近の拡大正面図である。
【図５】図２のＣ−Ｃ断面における拡大分解図である。
【発明を実施するための形態】
【００１６】
次に、本発明を実施するための最良の形態について図面を参照し、具体的に説明する。
【００１７】
図面において、１は地表に間隔をおいて立設された支柱、２は支柱１の間に架設された塀パネル、３は塀パネル２の下端部と地表との間に設けられたスペーサーであり、本発明に係る塀は、支柱１、塀パネル２、及びスペーサー３とか主に構成されると共に、スペーサー３により塀パネル２の下端面と地表との隙間が塞がれるものである。
【００１８】
図１は、本発明に係る塀において実施の一形態を示す説明図であり、（ａ）は平面図、（ｂ）は正面図である。支柱１は、下部が地中に埋設されて地表に適宜間隔をおいて立設されている。支柱１の上端面にはキャップ１１が取付けられ、見栄えをよくすると共に、雨水等が支柱１の内部に浸入することを防止している。支柱１の材質は、強度的に安定しておりコストの安い鋼管が好適に用いられるが、鋼管に限定されるものではなく、アルミニウム合金やステンレス鋼等の他の金属を用いたものでもよい。又、支柱１の断面形状は、図２に示すように断面矩形状となされているが、塀パネル２が支柱１に架設されるものであれば、断面円形でもよく、多角形状となされたものでもよい。
【００１９】
図２は、図１のＡ−Ａ断面における横断面図である。かかる支柱１の側端部には、塀パネル２を取付けるための取付部材４が取付けられている。取付部材４は、本実施形態では、支柱１の側端部に固着される固定部４１と、固定部４１から前後に間隔をおいて突設される２個の取付部４２とを備えた横断面略コ字状になされている。取付部材４は、塀パネル２を支持できるものであれば、支柱１の側面部に上下に間隔をあけて複数個以上取付けられたものでもよく、支柱１の側面部の上部から下部に亘って連続的に形成された長尺体を用いてもよい。
【００２０】
次に、塀パネル２は、支柱１の間に架設されるものであり、矩形状に形成されたパネル本体２１と、該パネル本体２１の上下端部に配置される横枠材２２と、該左右端部に配置される縦枠材２３とを備え、上下の横枠材２２と縦枠材２３とによって矩形状の枠体２４が形成され、この枠体２４の内側にパネル本体２１が固定されたものである。
【００２１】
図３は図２のＢ−Ｂ断面における断面図である。図２，３に示すように、塀パネル２は、パネル本体２１が前後に間隔をおいて配置され、パネル本体２の端部が横枠材２２及び縦枠材２３からなる枠体２４に固定されている。そして、２個のパネル本体の間には吸音材２５が挿入されている。更に、本実施形態では、図１の前側パネル本体２１の一部及びその拡大図のみに図示しているが、該パネル本体２１には、前後の貫通する透孔２１ａが多数設けられている。又、吸音材２５の後ろ面側には鋼板２６を配置している。これにより、塀の前方で発生した騒音等を効果的に遮音・吸収できる。
【００２２】
横枠材２２は、本実施形態では、内部に中空部２２ａが設けられた長尺体であり、パネル本体２１の上下端部が圧入される溝部２２ｂが長手方向に沿って設けられている。一方、縦枠材２３は、平板状の基部２３ａにおける一方の面にパネル本体２１の側端部が圧入される溝部２３ｂが長手方向に沿って設けられ、基部２３ａの他方の面には、支柱１の取付部材４と接合するための接合片２３ｃが長手方向に沿って設けられている。そして、縦枠材２３の基部２３ａに設けられたビス孔から固定ねじＢ１を挿入し、横枠材２２の中空部２２ａ内に設けられたビスホール２２ｃに螺入されることによって、横枠材２２と縦枠材２３とが接合され、枠体２４が形成されている。
【００２３】
塀パネル２は、本実施形態のように、騒音を遮音或いは吸収できるものを好適に用いることができ、パネル本体２１としては、金属板や樹脂板に金属板を貼着した複合板等を用いることができる。塀パネル２の構成としては、吸音材２５や鋼板２６を用いずパネル本体２１の２重壁の構成でもよく、パネル本体２１の１重壁でもよい。枠体２４は、一般には、アルミニウム合金や合成樹脂の押出成型からなる長尺体を適宜長さに切断して用いられるものであるが、ステンレス鋼板や鋼板のプレス加工等により形成したものでもよい。又、横枠材２２或いは縦枠材２３のいずれか一方のみから構成されるものでもよい。
【００２４】
又、図２，３に示すように、支柱１の後方側には塀パネル２との間に生じる上下方向の隙間を隠すためのめかくし材５が取付けられている。該めかくし材５は、上下方向に長尺となされた板状であり、一方の側端部が支柱に当接され、もう一方の側端部は固定ねじＢ２により塀パネル２に固定されている。
【００２５】
図５は、図２のＣ−Ｃ断面における拡大分解図である。めかくし材５の側端部には、透孔５１が設けられている。この透孔５１から固定ねじＢ２を挿通させ、ワッシャＷを介して縦枠材２３の接合片２３ｃの横長孔２３ｄを貫通して、支柱１に取付けられた取付部材４の取付部４２のねじ孔４２ａに螺入させることにより、めかくし材５が塀パネル２に固着される。
【００２６】
かかるめかくし材５は、本実施形態では、支柱１を挟んで左右一対に設けられているが、左右のめかくし材５の支柱側端部が接続された一体型のものでもよい。又、めかくし材５の取付方法は、支柱１に直接ねじ止めして固着する方法でもよい。
【００２７】
スペーサー３は、地表と最下段の塀パネル２との隙間を塞ぐものであり、上下方向に変形可能となされた弾性体である。スペーサー３の設置形態は特に限定されるものではないが、本実施形態では、最下段の塀パネル２の下端部に取付けられた脚パネル６に取付けられている。
【００２８】
かかるスペーサー３は、本実施形態ではスペーサー３の内部に空隙が設けられ更に該空隙が前後方向に繋がったスポンジ状となされ、地表面の凹凸が比較的大きい場合でもその凹凸への追従変形可能であり、前後方向への変形が生じにくいスポンジ状のものを好適に用いることができるが、スペーサー３の内部に多数の独立気泡を有する弾性体でもよく、ゴム弾性を有するものを用いてもよく、あるいはこれらを組み合わせて用いてもよい。
【００２９】
図４は、図１の塀Ｐの地表部付近の拡大正面図である。スペーサー３を塀パネル２と地表との間に設ける際、地表の基準面Ｋに対して、スペーサー３１の収縮しろを残した収縮状態で、塀パネル２と地表との間に設けるようにすれば、地表が基準面Ｋに対して上昇或いは下降した不陸箇所に対してその凹凸に対応して隙間を埋めることができる。これにより、塀Ｐのめかくし機能をより高めることができると共に、塀パネルと地面との間からは音が伝わりにくくなるので、本実施形態における塀パネル２と相まって、塀Ｐの前方で生じた騒音が後方に伝わることを効果的に抑えることができる。
【００３０】
脚パネル６は、図３に示すように、最下段の塀パネル２の長手方向に沿って取付けられて、地表の基準面Ｋより上方に配置されると共に、該脚パネル６の下端部にスペーサー３が取付けられたものである。該脚パネル６の上端部６１は、支柱１の取付部材４の下方に配置されると共に、該上端部６１の一端から上方に向けて立ち上がる立上片６２が立設され、塀パネル２の下方の横枠材２２の前方を覆うと共に、固定ねじＢ３により縦枠材２３に固着されている。もう一方の上端部は、塀パネル２の縦枠２３と略面一となされている。これにより、めかくし材５を支柱１に取付ける際に、めかくし材５の下端部に特別な加工をせずとも、脚パネル６の前記上端部の外周面に当接させて、めかくし材５による隙間隠しが下端部まで連続的に可能となる。
【００３１】
立上片６２の側端部には、図５に示すように、透孔６２ａが設けられている。この透孔６２ａから固定ねじＢ３を挿通させ、ワッシャＷを介して縦枠材２３の接合片２３ｃの横長孔２３ｄを貫通して、支柱１に取付けられた取付部材４の取付部４２のねじ孔４２ａに螺入させることにより、立上片６２が取付部４２に取付けられ、脚パネル６が塀パネル２の下部において支柱１の間に固定される。本実施形態では、取付部材４は前後対称形となされているので、めかくし材５及び脚パネル６の配置を前後で入れ替えることが可能である。
【００３２】
又脚パネル６の下端部６３には、スペーサー３の上端部が取付けられている。本実施形態では、該下端部６３の前後幅は、スペーサー３の前後幅よりも長くなされると共に、下端部６３の前後方向中央部にスペーサー３が取付けられている。これにより、通行人等からは、スペーサー部３１が見えにくくなり、地表との隙間を塞ぎながら意匠性の低下を抑えることができる。
【００３３】
更に脚パネル６の下端部６３には、スペーサー３の前後面に相対向して脚パネル６の長手方向に沿ってカバー部６４が垂下されている。すなわち、脚パネル６の下端縁であるカバー部６４の下端縁の位置より、スペーサー３の上端縁の方が上方に位置している。従って、カバー部６４の垂下寸法をスペーサー３の収縮限界寸法より大きくしておけば、地表の不陸の凹凸における凸部がカバー部６４の下端縁の位置程度まで上昇しても、スペーサー３の収縮限界を超えて、地表と脚パネル６との隙間が狭くなる虞れは少なくなり、前記収縮限界を超えることにより、スペーサー３が前後に飛び出したり、脚パネル６や塀パネルが変形したりするような不具合は生じにくくなる。そして、カバー部６４の下端縁を地表の基準面Ｋより高い位置にすることにより、上記効果をより確実に発現できる。
【００３４】
加えて、スペーサー３の上下寸法を長くしても、スペーサー３は外部から見えにくいので、スペーサー３の上下方向の伸縮しろをより大きくするために上下寸法を長くしても、外観上スペーサー３が目立つことがなく、より好ましい。つまり、カバー部６４により、スペーサー３の伸縮しろを十分確保しながら、意匠性の低下を抑えることができる。
【００３５】
カバー部６４の垂下位置は、特に限定されるものではないが、本実施形態では、下端部６３の前後端縁から垂下されたものである。これにより、スペーサー３が地表の凹凸の状況により部分的に前後方向に変形した場合であっても、カバー部６４とスペーサー３との間隔を確保することができるので、この間に雨水等が滞留しにくくなりスペーサー３やカバー部６４の内側の腐食等が起こりにくくなる。
【００３６】
又、カバー部６４の先端には、スペーサー３側に向けて内側に折曲された折曲部６５が形成されている。これにより、カバー部６４の強度が高められると共に、スペーサー３が部分的に前後方向に変形した場合でも、折曲部６５に押さえられて、カバー部６４の外側面より外側にはみ出しにくくなる。
【００３７】
カバー部６４は、スペーサー３に対して前後面両側に形成された方がより好ましいが、塀Ｐの前側のみにカバー部６４を設けるような、前後面一方のみにカバー部６４を形成してもよい。或いは、スペーサー３を塀パネル２の下端部に直接取付け、スペーサー３の前後面の少なくとも一方に相対して、塀パネル２の下端部からカバー部６４が垂下されたものでもよい。
【００３８】
脚パネル６は、本実施形態では、アルミニウム合金の押出型材を適宜長さに切断して用いたものであり、立上片６２やカバー部６４の設計が比較的容易であり、塀パネル２の枠体２４と同じ材料で意匠性を損なうことがないので、好適に用いることができるが、ステンレス鋼や鋼板等の他の金属や、合成樹脂等からなる成型品をもちいてもよい。又、脚パネル６は、角柱状で内側に中空部が設けられたものであるが、中空部のない形態でもよい。
【符号の説明】
【００３９】
１    支柱
２    塀パネル
２２  横枠材
２３  縦枠材
２４  枠体
３    スペーサー
４    取付部材
５    めかくし材
６    脚パネル
６３  下端部
６４  カバー部
６５  折曲部
Ｂ１，Ｂ２，Ｂ３  固定ねじ
Ｋ    基準面
Ｐ    塀
【図１】
2010189861.tif 000003
【図２】
2010189861.tif 000004
【図３】
2010189861.tif 000005
【図４】
2010189861.tif 000006
【図５】
2010189861.tif 000007